(57)【要約】【課題】本発明の目的は、従来の問題を解決できる、カップ麺などに使用されるカップ形状を有する新規な断熱容器を提供することである。【解決手段】断熱容器１００は、プラスチックで射出成形により形成され、上端側に向かい若干拡径される形状の側壁１０１を有し、上端側に開口部１０１ａ、下端側に底部１０２が形成されるカップ形状を有し、カップ形状の側壁１０１の外周面に、縦方向に延在し、所定の間隔を空けて配設される複数の断熱リブ１０５と、開口部１０１ａの径方向外側の全周にリング形状に突出し、径方向外側に向かって延設された横延設部１０４ａと、横延設部１０４ａの先端から下方に向かって延設された下延設部とから構成されるフランジ部１０４とを備え、横延設部１０４の上部の開口部１０１ａの端部に接する位置に、円環形状の突起部であるシール突起部１０４ｃが形成されることを特徴とする。【選択図】図１
2018144833.tif 000002
【特許請求の範囲】
【請求項１】
プラスチックで射出成形により形成され、上端側に向かい若干拡径される形状の側壁を有し、上端側に開口部、下端側に底部が形成されるカップ形状の断熱容器であって、
前記カップ形状の前記側壁の外周面に、縦方向に延在し、所定の間隔を空けて配設される複数の断熱リブと、
前記開口部の径方向外側の全周にリング形状に突出したフランジ部であって、当該フランジ部は、径方向外側に向かって延設された横延設部と、当該横延設部の先端から下方に向かって延設された下延設部とから構成されるフランジ部と
を備え、
前記横延設部の上部の前記開口部の端部に接する位置に、円環形状の突起部であるシール突起部が形成されることを特徴とする断熱容器。
【請求項２】
前記下延設部の先端の内周に、面取り部が形成されることを特徴とする請求項１に記載の断熱容器。
【請求項３】
前記複数の断熱リブは、前記カップ形状の上端側から、前記カップ形状の下端から所定の位置まで延設され、前記複数の断熱リブの下端側には、下端側に向かい高さが０になるまで次第に低くなるテーパ部が形成されることを特徴とする請求項１に記載の断熱容器。
【請求項４】
前記カップ形状の前記側壁の外周面の中段部分には、上端側から下端側に向かい肉厚が次第に厚くなり、更に肉厚が次第に薄くなる形状を有する厚肉部が形成されることを特徴とする請求項１に記載の断熱容器。
【発明の詳細な説明】
【技術分野】
【０００１】
本発明は、断熱容器に関し、特に、上端側に向かい若干拡径される円筒形状の側壁を有し、上端側に開口部、下端側に底部が形成されるカップ形状の断熱容器に関する。
【背景技術】
【０００２】
カップ麺などの容器入り食品に使用される断熱容器が広く知られている。このような断熱容器のうち、上端側に向かい若干拡径される円筒形状等の側壁を有し、上端側に開口部、下端側に底部が形成されるカップ容器も広く知られている。このようなカップ容器では、上端側の開口部から内部に広がる収容凹部に食品が収容され、上端側の開口部が蓋体で閉じられることにより密封状態が保持される。開口部の径方向外側の周囲には、カップ容器の強度を保持するためにリング形状に突出したフランジ部が設けられ、このフランジ部に蓋体がヒートシールされることにより、蓋体で収容凹部を密封し、収容凹部に収容されている食品を衛生的に保護している。
【先行技術文献】
【特許文献】
【０００３】
【特許文献１】特許第４９５８３２６号
【発明の概要】
【発明が解決しようとする課題】
【０００４】
特許文献１には、このようなカップ容器において、プラスチック製のカップ容器を薄肉化した場合に、耐落下衝撃性が低下すること、及び、フランジ部にうねりが生じ、フランジ部のシール性が悪化するという課題が記載されている。特許文献１では、この課題を解決するための方法として、フランジ部の厚さを所定値より厚くし、フランジ部に１または複数の溝を設ける発明が記載されている。
【０００５】
しかしながら、特許文献１には、粉末スープ等をバラ充填する場合に、収容凹部の周囲の蓋体のシール面とフランジの上面との間の隙間に粉末スープ等が残る可能性があるという問題についての記載はない。
【０００６】
また、このようなカップ容器では、断熱性を必要とするため、断熱性を有するプラスチック等を使用し、射出成形により製造することが一般に行われているが、カップ容器の形状によっては、樹脂が押し切れずショートモールドになるおそれがある。
【０００７】
また、カップラーメン、カップスープ、カップみそ汁、カップ雑炊等の高温の食品や、アイスクリームなど低温の食品を収容凹部に収容する場合には、カップ容器の側壁部に複数の縦方向の断熱リブを設け、使用者が手で持ったときに熱が伝わらないようにする構造も一般に知られている。しかしながら、断熱リブの形状によっては、カップ容器を覆うシュリンクフィルムが破れるおそれがある。
【０００８】
また、カップ容器の強度を上げるために、カップ容器の側壁の外周面に厚肉部を設けることも知られているが、従来の形状では、喫食時にカップ容器の撓む可能性があるという問題もある。
【０００９】
従って、本発明の目的は、カップ麺などの容器入り食品に使用されるカップ形状を有する断熱容器において、上述の従来の問題を解決できる新規な断熱容器を提供することである。
【課題を解決するための手段】
【００１０】
上記課題を解決するために、本発明の断熱容器は、プラスチックで射出成形により形成され、上端側に向かい若干拡径される形状の側壁を有し、上端側に開口部、下端側に底部が形成されるカップ形状の断熱容器であって、上記カップ形状の上記側壁の外周面に、縦方向に延在し、所定の間隔を空けて配設される複数の断熱リブと、上記開口部の径方向外側の全周にリング形状に突出したフランジ部であって、当該フランジ部は、径方向外側に向かって延設された横延設部と、当該横延設部の先端から下方に向かって延設された下延設部とから構成されるフランジ部とを備え、上記横延設部の上部の上記開口部の端部に接する位置に、円環形状の突起部であるシール突起部が形成されることを特徴とする。
【００１１】
また、上記下延設部の先端の内周に、面取り部が形成されるものとしてもよい。
【００１２】
また、上記複数の断熱リブは、上記カップ形状の上端側から、上記カップ形状の下端から所定の位置まで延設され、上記複数の断熱リブの下端側には、下端側に向かい高さが０になるまで次第に低くなるテーパ部が形成されるものとしてもよい。
【００１３】
また、上記カップ形状の上記側壁の外周面の中段部分には、上端側から下端側に向かい肉厚が次第に厚くなり、更に肉厚が次第に薄くなる形状を有する厚肉部が形成されるものとしてもよい。
【発明の効果】
【００１４】
本発明によれば、上述の従来の問題を解決できる、カップ麺などに使用されるカップ形状を有する新規な断熱容器を提供することができる。
【図面の簡単な説明】
【００１５】
【図１】本発明の断熱容器の縦断面図である。
【図２】本発明の断熱容器の底面図である。
【図３】本発明の断熱容器を重ねた状態を示す部分断面図である。
【図４】図４（ａ）は、従来のフランジ部の拡大断面図であり、図４（ｂ）は、本発明のフランジ部の拡大断面図である。
【図５】図５（ａ）は、従来の断熱リブの下端部の拡大断面図であり、図５（ｂ）は、本発明の断熱リブの下端部の拡大断面図である。
【図６】図６（ａ）は、従来の厚肉部の拡大断面図であり、図６（ｂ）は、本発明の厚肉部の拡大断面図である。
【発明を実施するための形態】
【００１６】
以下、本発明の実施形態を、図面を参照して説明する。
【００１７】
図１は、本発明の断熱容器１００の縦断面図であり、図２は、本発明の断熱容器１００の底面図であり、図３は、本発明の断熱容器１００を重ねた状態を示す部分断面図である。
【００１８】
図１乃至図３において、本発明の断熱容器１００は、カップ麺などの容器入り食品に使用される容器であって、上端側に向かい若干拡径される円筒形状の側壁１０１を有し、上端側に開口部１０１ａ、下端側に底部１０２が形成されるカップ形状を有する。なお、ここでは、側壁１０１のカップ形状は、円筒形状としたがこれには限定されず、四角柱等の多角柱形状でもよく、また、開口部１０１ａが円形で、底部１０２が四角形等の多角形など、開口部１０１ａと底部１０２の形状が異なっていてもよい。
【００１９】
カップ形状の断熱容器１００は、上端側の開口部１０１ａから内部に広がる収容凹部１０３に食品が収容され、上端側の開口部１０１ａが図示を省略する蓋体で閉じられることにより密封状態が保持される。収容凹部１０３には、カップラーメン、カップスープ、カップみそ汁、カップ雑炊等の高温の食品や、アイスクリームなど低温の食品を収容する必要があるため、カップ形状の断熱容器１００は、断熱性を有するプラスチック等の材料を使用して射出成形により形成される。
【００２０】
図１に示すように、断熱容器１００の開口部１０１ａの径方向外側の全周には、カップ容器の強度を保持するためにリング形状に突出したフランジ部１０４が設けられる。フランジ部１０４には、上述の蓋体がヒートシールされ、これにより蓋体で収容凹部１０３を密封し、収容凹部１０３に収容されている食品を衛生的に保護している。フランジ部１０４は、後述する図４（ｂ）に示すように、概略、径方向外側に向かって延設された横延設部１０４ａと、横延設部１０４ａの先端から下方に向かって延設された下延設部１０４ｂとから構成される。フランジ部１０４の詳細な形状については、図４（ａ）及び図４（ｂ）を使用して、以下で詳細に説明する。
【００２１】
また、図３に示すように、断熱容器１００の側壁１０１の外周面には、縦方向に延在し、所定の間隔を空けて配設される複数の断熱リブ１０５が形成される。断熱リブ１０５は、高温や低温の食品を収容凹部１０３に収容した場合に、使用者が手で持ったときに熱が伝わらないようにするための構造である。断熱リブ１０５の形状については、図５（ａ）及び図５（ｂ）を使用して、以下で詳細に説明する。
【００２２】
また、図１に示すように、断熱容器１００の側壁１０１の外周面の中段部分には、上端側から下端側に向かい肉厚が次第に厚くなり、更に肉厚が次第に薄くなる形状を有する厚肉部１０６が形成される。厚肉部１０６は、使用者が喫食する場合に、カップ形状の断熱容器１００が撓むのを防止するために設けられる。厚肉部１０６の形状については、図６（ａ）及び図６（ｂ）を使用して、以下で詳細に説明する。
【００２３】
さらに、断熱容器１００は、図３に示すように、食品が収容されていない状態では、重ねた状態で搬送されるため、側壁１０１の内周面の底部１０２より若干、開口部１０１ａ側の位置に、段部１０７が形成される。段部１０７が形成されることにより、断熱容器１００が重ねられた場合に、上側のカップ形状の断熱容器１００´の下端面が下側のカップ形状の断熱容器１００の段部１０７に接触し、互いに平行を保った状態で安定して固定できる。
【００２４】
図４（ａ）は、従来のフランジ部４０４の拡大断面図であり、図４（ｂ）は、本発明のフランジ部１０４の拡大断面図である。
【００２５】
図４（ａ）において、従来のフランジ部４０４は、本発明のフランジ部１０４と同様に、概略、径方向外側に向かって延設された横延設部４０４ａと、横延設部４０４ａの先端から下方に向かって延設された下延設部４０４ｂとから構成される。更にフランジ部４０４の横延設部４０４ａの上面には、容器の強度を保つために、２つの円環形状の突起部４０４ｃが形成されている。しかしながら、このような従来のフランジ部４０４では、突起部４０４ｃの位置が開口部４０１の端部から離れているため、粉末スープ等をバラ充填する場合に、開口部４０１の周囲の蓋体のシール面とフランジ部４０４の上面との間の隙間に粉末スープ等が残る可能性があるという問題があった。
【００２６】
これに対して、図４（ｂ）に示すように、本発明のフランジ部１０４では、横延設部１０４ａの上部の開口部１０１ａの端部に接する位置に、円環形状の突起部であるシール突起部１０４ｃが形成される。シール突起部１０４ｃは、開口部１０１ａの端部に接する位置に設けられるため、蓋体のシール面とフランジ部１０４の上面との間の隙間は生じず、粉末スープ等が残る可能性がなくなる。また、シール突起部１０４ｃを設けることにより、フランジ部１０４の強度が維持でき、蓋体とのヒートシールが安定して行える。
【００２７】
また、図４（ｂ）に示すように、本発明のフランジ部１０４には、さらに、下延設部１０４ｂの先端の内周に面取り部１０４ｄが設けられる。図４（ａ）に示す従来のフランジ部４０４の下延設部４０４ｂには、このような面取り部が設けられていなかったため、プラスチックで射出成形により成形した場合に、樹脂が押し切れずショートモールドになるおそれがあった。本発明のフランジ部１０４では、面取り部１０４ｄが設けられているため、このようなショートモールドを避けることができる。
【００２８】
図５（ａ）は、従来の断熱リブ５０５の下端部の拡大断面図であり、図５（ｂ）は、本発明の断熱リブ１０５の下端部の拡大断面図である。
【００２９】
図５（ａ）に示すように、従来の断熱リブ５０５は、カップ容器の下端まで延びる形状に形成され、さらに、従来の断熱リブ５０５の下端部には、テーパ処理などが施されていない。このため、従来の断熱リブ５０５の形状では、カップ容器を覆うシュリンクフィルムが破れるおそれがあった。
【００３０】
これに対して、図５（ｂ）に示すように、本発明の断熱リブ１０５は、カップ形状の上端側から、カップ形状の下端から所定の位置まで延設される形状に形成され、断熱リブ１０５の下端側には、下端側に向かい高さが０になるまで次第に低くなるテーパ部１０５ａが形成される。断熱リブ１０５をこのような形状とすることにより、カップ形状の断熱容器１００を覆うシュリンクフィルムが破れる可能性を低くすることができる。
【００３１】
図６（ａ）は、従来の厚肉部６０６の拡大断面図であり、図６（ｂ）は、本発明の厚肉部１０６の拡大断面図である。
【００３２】
図６（ａ）に示すように、従来の厚肉部６０６は、階段形状に形成され、カップ容器の強度を上げていた。しかしながら、このような形状では、カップ容器内に食品が収容され、使用者が喫食する場合には、カップ容器を手で持ったときに強度が更に必要となり、カップ容器が撓むおそれがあった。
【００３３】
これに対して、図６（ｂ）に示すように、本発明の断熱容器１００では、カップ形状の断熱容器１００の側壁１０１の外周面の中段部分に、上端側から下端側に向かい肉厚が次第に厚くなり、更に肉厚が次第に薄くなる形状を有する厚肉部１０６が形成される。厚肉部１０６をこのような形状とすることにより、従来の階段形状の厚肉部６０６と比較して、階段形状の頂点をストレートに繋ぐ形状となり、肉厚がさらに厚くなり、カップ形状の断熱容器１００の側壁１０１の強度を増加させることができ、喫食時のカップ容器の撓みを抑制できる。
【００３４】
以上のように、本発明の断熱容器によれば、蓋体のシール面とフランジの上面との間の隙間に粉末スープ等が残る、樹脂が押し切れずショートモールドが発生する、断熱リブの形状によりカップ容器を覆うシュリンクフィルムが破れる可能性がある、及び、使用者の喫食時にカップ容器に撓みが発生するなどの従来の問題を解決できる、カップ麺などに使用されるカップ形状を有する新規な断熱容器を提供できる。
【符号の説明】
【００３５】
１００  断熱容器
１０１  側壁
１０１ａ  開口部
１０２  底部
１０３  収容凹部
１０４  フランジ部
１０４ａ  横延設部
１０４ｂ  下延設部
１０４ｃ  シール突起部
１０４ｄ  面取り部
１０５  断熱リブ
１０５ａ  テーパ部
１０６  厚肉部
１０７  段部
【図１】
2018144833.tif 000003
【図２】
2018144833.tif 000004
【図３】
2018144833.tif 000005
【図４】
2018144833.tif 000006
【図５】
2018144833.tif 000007
【図６】
2018144833.tif 000008